(57)【特許請求の範囲】
【請求項１】
先端にブラシが設けられたブラシシャフトがモータによって動作する電動式マスカラアプリケータにおいて、
前記モータが収容されると共に、前記ブラシを包囲するキャップが嵌め込まれる開口部を有する筐体と、
前記筐体に形成されて、前記モータが収容される機構収容領域と前記開口部に連通する開放領域とを仕切ると共に、前記ブラシシャフトが貫通する仕切壁部と、
前記ブラシシャフトに設けられて、前記キャップのブラシ挿入口内に挿入される筒状部と、
前記筒状部の外周面から前記ブラシシャフトの軸線に対して略直角に突出するリング状のフランジ部と、を有することを特徴とする電動式マスカラアプリケータ。
【請求項２】
前記仕切壁部には、前記筐体の前記開口部に向けて突出して、前記ブラシシャフトを包囲する筒状のシャフト支持部が設けられ、前記筒状部の内周面には、前記シャフト支持部が差し込まれる拡径部が形成されていることを特徴とする請求項１記載の電動式マスカラアプリケータ。
【請求項３】
前記フランジ部には、前記キャップの前記ブラシ挿入口側の端面が当接するリング状のパッキンが固定され、前記パッキンは、前記筐体に非接触であることを特徴とする請求項１又は２記載の電動式マスカラアプリケータ。
【発明の詳細な説明】
【技術分野】
【０００１】
本発明は、まつげにマスカラ剤を塗布するための電動式マスカラアプリケータに関するものである。
【背景技術】
【０００２】
従来、このような分野の技術として特開２００５−９５５３１号公報がある。この公報に記載された電動マスカラにおいては、モータと、減速機構としての多段遊星歯車との協働によりブラシが回転する。このような電動マスカラは、ブラシ及びブラシシャフトをキャップから抜差しすることにより、キャップ内に充填されているマスカラ剤をブラシに付着させ、ブラシシャフトを回転させながら、まつげにマスカラ剤を塗布させることができる。
【先行技術文献】
【特許文献】
【０００３】
【特許文献１】特開２００５−９５５３１号公報
【発明の概要】
【発明が解決しようとする課題】
【０００４】
しかしながら、従来の電動マスカラでは、モータ及び減速機構が、筐体内に収容されてはいるが、ブラシシャフトを伝って流れるマスカラ剤が、仕切壁部とブラシシャフトとの間の空隙から機構部の中に侵入して、モータ及び減速機構に付着し易い。マスカラ剤は、通常、水性エマルション、揮発性油脂等の揮発性物質であり、機構部内にマスカラ剤が侵入すると、時間の経過とともにマスカラ剤が固化して、モータや減速機構を動かなくしてしまう虞があった。
【０００５】
本発明は、モータが収容された機構収容領域内へのマスカラ剤の流入を防止するようにした電動式マスカラアプリケータを提供することを目的とする。
【課題を解決するための手段】
【０００６】
本発明は、先端にブラシが設けられたブラシシャフトがモータによって動作する電動式マスカラアプリケータにおいて、
モータが収容されると共に、ブラシを包囲するキャップが嵌め込まれる開口部を有する筐体と、
筐体に形成されて、モータが収容される機構収容領域と開口部に連通する開放領域とを仕切ると共に、ブラシシャフトが貫通する仕切壁部と、
ブラシシャフトに設けられて、キャップのブラシ挿入口内に挿入される筒状部と、
筒状部の外周面からブラシシャフトの軸線に対して略直角に突出するリング状のフランジ部と、を有することを特徴とする。
【０００７】
この電動式マスカラアプリケータにおいて、フランジ部は、ブラシシャフトを伝って流れ落ちるマスカラ剤の障害物として機能するので、マスカラ剤を機構収容領域内に流入させ難くする。そして、電動式マスカラアプリケータにキャップを嵌めたとき、ブラシシャフトに設けられた筒状部は、キャップのブラシ挿入口内に挿入されるので、キャップ内のマスカラ剤がブラシ挿入口から流出し難くなる。しかも、筒状部の採用は、ブラシ挿入口を大きくすることができ、これによって、ブラシを痛めることなく、キャップからブラシをスムーズに出し入れすることができる。
【０００８】
また、仕切壁部には、筐体の開口部に向けて突出して、ブラシシャフトを包囲する筒状のシャフト支持部が設けられ、筒状部の内周面には、シャフト支持部が差し込まれる拡径部が形成されていると好適である。
このシャフト支持部は、長いブラシシャフトの基端側の折れや曲がりを防止して、ブラシシャフトの回転を安定させることができる。このようなシャフト支持部の先端は、筒状部内に入り込むようになっているので、フランジ部によって流動を阻止できなかったマスカラ剤が、シャフト支持部の先端に達するまでの通路を、細く長くすることができる。その結果、フランジ部の採用と相俟って、マスカラ剤がシャフト支持部の先端に達し難くなり、シャフト支持部とブラシシャフトとの隙間を伝って、マスカラ剤が機構収容領域内に流入するような事態を無くすことができる。
【０００９】
また、フランジ部には、キャップのブラシ挿入口側の端面が当接するリング状のパッキンが固定され、パッキンは、筐体に非接触であると好適である。
このような構成を採用すると、フランジ部をパッキンの固定部として有効利用することができ、パッキンを備えることで、ブラシ挿入口からマスカラ剤を流出させ難くできる。また、パッキンが筐体に当接していると、ブラシシャフトと一緒に回転や移動するパッキンが摩擦力に抗して回転や移動することになるので、モータのパワーが必要になり、モータを小型化できずに電池も大型化して、電動マスカラの小型化(スリム化)を図り難い。そこで、本発明は、パッキンを筐体に対して非接触状態にしている。
【発明の効果】
【００１０】
本発明によれば、モータが収容された機構収容領域内へのマスカラ剤の流入を防止することができる。
【図面の簡単な説明】
【００１１】
【図１】本発明に係る電動式マスカラアプリケータの一実施形態を示す断面図である。
【図２】電動マスカラのキャップを外した状態を示す断面図である。
【図３】図１の要部拡大断面図である。
【発明を実施するための形態】
【００１２】
以下、図面を参照しつつ本発明に係る電動式マスカラアプリケータの好適な実施形態について詳細に説明する。
【００１３】
図１〜図３に示すように、電動マスカラ１は、まつげを濃くし、まつげをカールするように持ち上げる、或いは、まつげを長く見せる目的で、まつげにマスカラ剤を塗布するための化粧用品であって、マスカラ剤が充填されたキャップ２と、先端にブラシ３が設けられたブラシシャフト４がモータ７によって回転する電動式マスカラアプリケータ５Ａとからなる。
【００１４】
電動式マスカラアプリケータ５Ａは、キャップ２に充填されたマスカラ剤をまつげに塗布するためのブラシ３と、ブラシ３が先端に設けられたブラシシャフト４と、モータ７及び減速部８を収容するための筐体５と、モータ７を駆動させるためのボタン電池６とを備えている。
【００１５】
なお、以下の説明において、ブラシ３側を「上」と表現し、筐体５の底側を「下」として表現する。
【００１６】
筐体５の底部には、電力を供給するボタン電池６が収容され、ボタン電池６の上方には、直径に対して軸方向の長さが短い偏平型すなわちコイン型のモータ７が収容される。このモータ７は、モータケース内のロータ７ｂに固定された偏心錘７ｃを備え、回転力及び振動力を発生させることができる。偏平なモータを採用することで、電動マスカラ１の全長を短くできる。
【００１７】
更に、筐体５の内部において、モータ７の上方には、モータ７の出力軸７ａに連結される減速部８が配置されている。減速部８の上端から突出する出力軸８ａは、ブラシシャフト４の下端に連結されている。減速部８は、多段遊星歯車であり、小型でありながら大きな減速比を有し、電動マスカラ１の小型化に寄与している。ブラシシャフト４の基端は、筐体５内に設けられた軸受９によって回転自在に支持されている。
【００１８】
キャップ２には、ブラシ挿入口２ｃを有する雄ねじ部２ａが設けられ、この雄ねじ部２ａは、キャップ本体部２ｂに対して縮径されている。電動マスカラ１を使用していないとき、このキャップ２は、筐体５の開口部５ａ側に設けられた雌ねじ部５ｂに螺着されて、ブラシ３及びブラシシャフト４を保護している。キャップ本体部２ｂ内には、揮発性のマスカラ剤が充填されており、キャップ２のブラシ挿入口２ｃからブラシ３及びブラシシャフト４を抜き差しすることで、ブラシ３にマスカラ剤を付着させることができる。この時、マスカラ剤はブラシ３のみならずブラシシャフト４にも付着する。
【００１９】
電動マスカラ１の利用者がスイッチ１５を押すと、ボタン電池６からモータ７に電力が供給され、モータ７から振動力及び回転力が発生する。モータ７によって発生させられた振動は、ブラシシャフト４を介してブラシ３に伝えられる。ブラシ３を振動させることにより、まつげの絡まりをほぐしながら、マスカラ剤がダマやムラになるのを防ぐことができる。
【００２０】
また、モータ７によって発生させられた回転は、減速部８によって所定の速度まで減速させられ、ブラシシャフト４を介してブラシ３に伝えられる。ブラシ３を回転させることにより、マスカラ剤をしっかりと分散させ、ダマを作らず長くてボリュームのあるまつげに仕上げることができ、ビューラーやカーラーを使わずとも、まつげをカールするように容易に持ち上げることができ、まつげの見栄えを良くすることができる。
【００２１】
筐体５の内部には、モータ７や減速部８が収容される機構収容領域Ａと、キャップ２の雄ねじ部２ａが挿入される開放領域Ｂと、を仕切るための中蓋１２が固定されている。この中蓋１２の上端部には仕切壁部１０が形成され、仕切壁部１０の中央には、ブラシシャフト４が貫通する貫通孔１０ａが設けられている。
【００２２】
この中蓋１２内には軸受９が固定され、この軸受９によって、ブラシシャフト４の基端が回動自在に支持され、ブラシシャフト４のスムーズな回転を可能にしている。そして、この中蓋１２には、スイッチ１５が固定され、スイッチ１５は、カバー１５ａで覆われている。
【００２３】
仕切壁部１０には、筐体５の開口部５ａに向けて突出する筒状のシャフト支持部１３が形成され、このシャフト支持部１３は、ブラシシャフト４を包囲すると共に、ブラシシャフト４に沿って延在している。このシャフト支持部１３は、長いブラシシャフト４の基端側の折れや曲がりを防止して、ブラシシャフト４の回転を安定させることができる。
【００２４】
さらに、ブラシシャフト４には、開放領域Ｂ内において筒状部１１が固定されている。この筒状部１１の基部１１ａは、内周面側が接着剤によりブラシシャフト４に固定されると共に、キャップ２のブラシ挿入口２ｃ内に挿入される。筒状部１１の下端には、ブラシシャフト４の軸線Ｌに対して外周面から略直角に突出するリング状のフランジ部１１ｂが設けられている。そして、このフランジ部１１ｂは、仕切壁部１０及びキャップ２のブラシ挿入口２ｃの端面２ａＡに対して平行に延在している。
【００２５】
この電動マスカラ１において、フランジ部１１ｂは、ブラシシャフト４を伝って流れ落ちるマスカラ剤の障害物として機能するので、マスカラ剤を機構収容領域Ａ内に流入させ難くする。そして、電動式マスカラアプリケータ５Ａにキャップ２を螺着させたとき、ブラシシャフト４に固定された筒状部１１は、キャップ２のブラシ挿入口２ｃ内に挿入されるので、キャップ２内のマスカラ剤がブラシ挿入口２ｃから流出し難くなる。しかも、筒状部１１の採用は、ブラシ挿入口２ｃを大きくすることができ、これによって、ブラシ３を痛めることなく、キャップ２からブラシ３をスムーズに出し入れすることができる。
【００２６】
更に、筒状部１１の内周面の下端側には、シャフト支持部１３が差し込まれる拡径部１１ｃが形成されている。このシャフト支持部１３の先端１３ａは、筒状部１１内に入り込むようになっているので、フランジ部１１ｂによって流動を阻止できなかったマスカラ剤が、シャフト支持部１３の先端１３ａに達するまでの通路を、細く長くすることができる。その結果、フランジ部１１ｂの採用と相俟って、マスカラ剤がシャフト支持部１３の先端１３ａに達し難くなり、シャフト支持部１３とブラシシャフト４との隙間を伝って、マスカラ剤が機構収容領域Ａ内に流入するような事態を無くすことができる。
【００２７】
更に、フランジ部１１ｂには、キャップ２のブラシ挿入口２ｃ側の端面２ａＡが当接するリング状のパッキン１４が固定され、パッキン１４は、筐体５に非接触である。このような構成を採用すると、フランジ部１１ｂをパッキン１４の固定部として有効利用することができ、パッキン１４を備えることで、ブラシ挿入口２ｃからマスカラ剤を流出させ難くできる。また、パッキン１４が筐体５に当接していると、ブラシシャフト４と一緒に回転するパッキン１４が摩擦力に抗して回転することになるので、モータ７のパワーが必要になり、モータ７を小型化できずに電池も大型化して、電動マスカラ１の小型化(スリム化)を図り難い。このような理由により、パッキン１４を筐体５に非接触状態にしている。
【００２８】
キャップ２が筐体５に螺着されると、キャップ２の端面２ａＡがパッキン１４を僅かに押し潰す。これにより、キャップ２の端面２ａＡは、パッキン１４に対して隙間なく当接され、キャップ２からマスカラ剤が流出することを防ぐと共に、キャップ２内に充填されたマスカラ剤が揮発することを防ぐことができる。
【００２９】
また、パッキン１４の周縁が筐体５の内壁面に接近しているので、マスカラ剤の多くは、パッキン１４の周縁と筐体５の内壁面との間に留まることになり、利用者は、開口部５ａから綿棒等を差し込んで、留まったマスカラ剤を容易に除去することができる。
【００３０】
尚、ブラシシャフト４が回転動作する電動式マスカラアプリケータ５Ａについて説明したが、本発明は、電動式マスカラアプリケータの筐体とブラシシャフトとが相対的に移動する電動マスカラに対して特に有効であって、例えば、筐体に対してブラシシャフトがその軸線方向に往復動作する電動式マスカラアプリケータに適用することもできる。
【符号の説明】
【００３１】
１…電動マスカラ、２…キャップ、２ｃ…ブラシ挿入口、３…ブラシ、４…ブラシシャフト、５…筐体、５Ａ…電動式マスカラアプリケータ、５ａ…開口部、７…モータ、１０…仕切壁部、１１…筒状部、１１ｂ…フランジ部、１１ｃ…拡径部、１３…シャフト支持部、１４…パッキン、Ａ…機構収容領域、Ｂ…開放領域、Ｌ…軸線。
【図１】
0005453649.tif 000002
【図２】
0005453649.tif 000003
【図３】
0005453649.tif 000004